(57)【要約】      （修正有）【課題】信頼性の高い保持インデックスデバイスを提供する。【解決手段】ブッシング１とシャフト３と時計構成部材を駆動する伝達部材７，８とプレロード付勢力をもたらす弾性部材４，１０と、インデックスリング６を具備し、伝達部材７，８が、インデックス歯６．１に対して係合した歯を有し、シャフト３の少なくとも１つの回転方向においては、インデックスリング上への所定の大きさの力の印加によって、インデックス歯６．１と歯との間の係合が解除されるものとされ、これにより、時計構成部材の位置のインデックス機能が行われる。【選択図】図１ｇ
2015087395.tif 000002
【特許請求の範囲】
【請求項１】
特に腕時計といったような時計のセットデバイス内に組み込むための保持インデックスデバイスであって、
固定的に取り付けられたブッシング（１）と；
軸線方向に移動可能であるようにしてなおかつ回転可能であるようにして前記ブッシング（１）内に取り付けられたシャフト（３）と；
前記シャフト（３）のうちの、前記時計の内方を向いた端部に対して取り付けられた伝達部材（７，８）であるとともに、前記時計の内部に配置された時計構成部材（２２）を駆動し得るものとされた、伝達部材（７，８）と；
前記シャフト（３）の軸線方向に作用するプレロード付勢力をもたらす少なくとも１つの弾性部材（４，１０）と；
を具備してなり、
さらに、前記軸線方向に移動可能であるようにして前記シャフト（３）上に取り付けられたインデックスリング（６）を具備し、
このインデックスリング（６）が、インデックス歯（６．１）を有し、
前記伝達部材（７，８）が、前記インデックスリング（６）を向いた面上に、前記弾性部材（４，１０）の前記プレロード付勢力の効果のために、前記インデックス歯（６．１）に対して係合した歯（７．１，８．１）を有し、
前記シャフト（３）の少なくとも１つの回転方向においては、前記インデックスリング（６）上への所定の大きさの力の印加によって、前記インデックス歯（６．１）と前記歯（７．１，８．１）との間の係合が解除されるものとされ、これにより、前記時計構成部材（２２）の位置のインデックス機能が行われるようになっていることを特徴とする保持インデックスデバイス。
【請求項２】
請求項１記載の保持インデックスデバイスにおいて、
前記ブッシング（１）が、前記時計の内部を向いた端部のところに、歯付き面を有し、
その歯付き面の歯（１．１）の高さが、前記インデックスリング（６）の厚さと比較しておよび前記インデックス歯（６．１）の厚さと比較して、より大きなものとされ、
これにより、前記インデックスリング（６）が、前記シャフト（３）に対して前記軸線方向にスライド移動可能とされるとともに、前記インデックス歯（６．１）と前記ブッシング（１）の前記歯付き面との間の係合のために回転禁止とされ、
前記軸線方向の前記スライド移動の移動距離が、前記歯付き面の歯（１．１）の前記高さと前記インデックスリング（６）の前記厚さとの間の相違量に対応していることを特徴とする保持インデックスデバイス。
【請求項３】
請求項１または２記載の保持インデックスデバイスにおいて、
前記インデックスリング（６）の前記インデックス歯（６．１）が、著しく矩形の歯を有していることを特徴とする保持インデックスデバイス。
【請求項４】
請求項１〜３のいずれか１項に記載の保持インデックスデバイスにおいて、
前記伝達部材（７，８）のうちの、前記インデックスリング（６）を向いた面上において前記インデックス歯（６．１）に対して係合した前記歯（７．１，８．１）が、一方の回転方向における回転を禁止する第１ブレゲー歯（７．１）を有している、あるいは、双方向の回転を可能とする三角波（８．１）を有していることを特徴とする保持インデックスデバイス。
【請求項５】
請求項１〜４のいずれか１項に記載の保持インデックスデバイスにおいて、
前記伝達部材（７，８）が、前記シャフト（３）に対して固定的に取り付けられたキャリアピニオン（８）と、前記シャフト（３）まわりに回転可能とされたキャリアディスク（７）と、を備え、
前記キャリアピニオン（８）と前記キャリアディスク（７）との間には、連結部材が設けられ、
この連結部材が、前記キャリアディスク（７）のうちの、前記キャリアピニオン（８）を向いた面上に配置された第２ブレゲー歯（７．２）と、この第２ブレゲー歯（７．２）に対して係合している前記キャリアピニオン（８）上のキャリア歯（８．２）と、を備え、
前記伝達部材（７，８）のうちの、前記インデックスリング（６）を向いた面上において前記インデックス歯（６．１）に対して係合した前記歯（７．１，８．１）が、前記キャリアディスク（７）のうちの、前記インデックスリング（６）を向いた面上に、第１ブレゲー歯（７．１）を有し、
この第１ブレゲー歯（７．１）が、一方の回転方向における回転を禁止することを特徴とする保持インデックスデバイス。
【請求項６】
請求項１〜４のいずれか１項に記載の保持インデックスデバイスにおいて、
前記伝達部材（７，８）が、前記シャフト（３）に対して固定的に取り付けられたキャリアピニオン（８）を備え、
前記インデックス歯（６．１）に対して係合した前記歯（７．１，８．１）が、前記伝達部材（７，８）のうちの、前記インデックスリング（６）を向いた面上において、前記キャリアピニオン（８）のうちの、前記インデックスリング（６）を向いた面上に、三角歯（８．１）を有し、
この三角歯（８．１）が、双方向の回転を可能としていることを特徴とする保持インデックスデバイス。
【請求項７】
請求項１〜６のいずれか１項に記載の保持インデックスデバイスにおいて、
前記シャフト（３）の前記軸線方向に作用する前記プレロード付勢力をもたらす前記少なくとも１つの弾性部材（４，１０）が、前記シャフト（３）と前記インデックスリング（６）との間に配置されたバランススプリング（４）として形成され、および／または、前記シャフト（３）と前記伝達部材（７，８）の少なくとも一部との間に配置された環状の膨張可能なリーフスプリング（１０）として形成され、
前記弾性部材（４，１０）の前記プレロード付勢力が、前記インデックスリング（６）と前記伝達部材（７，８）とに対して作用することを特徴とする保持インデックスデバイス。
【請求項８】
特に腕時計といったような時計のためのセットデバイスであって、
請求項１〜７のいずれか１項に記載の保持インデックスデバイスを具備し、
さらに、前記保持インデックスデバイスの前記シャフト（３）に対して固定的に取り付けられた外側セット部材（２）を具備し、
この外側セット部材（２）が、前記時計構成部材（２２）のセットを可能とし、
前記少なくとも１つの弾性部材（４，１０）の前記プレロード付勢力が、前記外側セット部材（２）の実効的端面に応じて決定され、これにより、印加された外部圧力に応じた前記セットデバイスの自動的な軸線方向位置の切換が可能とされていることを特徴とするセットデバイス。
【請求項９】
請求項８記載のセットデバイスにおいて、
少なくとも１つのリングシール部材（１．３，１．４）が、前記ブッシング（１）と前記外側セット部材（２）との間に設けられ、
この少なくとも１つのリングシール部材（１．３，１．４）が、関連するチャンファー（２．３）と協働することにより、印加された外部圧力に応じた前記セットデバイスの自動的な軸線方向位置の切換によって、前記リングシール部材（１．３，１．４）の一方が圧縮され、これにより、自動的に気密性が増大するものとされ、
前記リングシール部材（１．３，１．４）は、好ましくは、前記ブッシング（１）の外面上に配置され、
前記関連するチャンファー（２．３）は、好ましくは、前記外側セット部材（２）の内面上に配置されることを特徴とするセットデバイス。
【請求項１０】
特に腕時計といったような時計のためのセットデバイスであって、
請求項１〜７のいずれか１項に記載の保持インデックスデバイスを具備し、
さらに、前記保持インデックスデバイスの前記シャフト（３）に対して固定的に取り付けられた外側セット部材（２）を具備し、
この外側セット部材（２）が、前記時計構成部材（２２）のセットを可能とし、
前記シャフト（３）の前記軸線方向の移動可能性が、禁止されていることを特徴とするセットデバイス。
【請求項１１】
請求項８〜１０のいずれか１項に記載のセットデバイスにおいて、
前記外側セット部材（２）が、駆動歯（２．１）を有したセットキャップ（２．２）として形成され、
前記駆動歯（２．１）が、前記時計の外部ベゼル（２１）の歯付きリム（２１．１）に対して係合していることを特徴とするセットデバイス。
【請求項１２】
請求項８〜１０のいずれか１項に記載のセットデバイスにおいて、
前記外側セット部材（２）が、前記時計のユーザーによって手動で駆動可能とされたセットクラウンとして形成されていることを特徴とするセットデバイス。
【請求項１３】
特にダイビングウォッチといったような時計であって、
請求項８〜１１のいずれか１項に記載のセットデバイスを具備し、
さらに、前記時計の前記時計構成部材（２２）をセットするように機能する外部ベゼル（２１）を具備していることを特徴とする時計。
【請求項１４】
特にダイビングウォッチといったような時計であって、
請求項８〜１１のいずれか１項に記載のセットデバイスを具備し、
さらに、前記時計の前記時計構成部材（２２）をセットするように機能する外部クラウンを具備していることを特徴とする時計。
【請求項１５】
請求項１３または１４記載の時計において、
前記時計の前記時計構成部材（２２）が、前記セットデバイスによってセットされるものであるとともに、その位置が、前記保持インデックスデバイスによってインデックスされるものであり、
前記時計の前記時計構成部材（２２）が、前記伝達部材（７，８）に対して機械的に連結されているとともに、内部ベゼルと、日付ディスクと、世界時刻ディスクと、月ディスクと、アラーム時計ディスクと、タキメータディスクと、インデックスポインタディスクと、からなるグループの中から選択されていることを特徴とする時計。
【発明の詳細な説明】
【技術分野】
【０００１】
本発明は、請求項１の序部分に記載された保持インデックスデバイスに関するものである。請求項１は、特に腕時計といったような時計のセットデバイス内に組み込むための保持インデックスデバイスであって、固定的に取り付けられたブッシングと；軸線方向に移動可能であるようにしてなおかつ回転可能であるようにしてブッシング内に取り付けられたシャフトと；シャフトのうちの、時計の内方を向いた端部に対して取り付けられた伝達部材であるとともに、時計の内部に配置された時計構成部材を駆動し得るものとされた、伝達部材と；シャフトの軸線方向に作用するプレロード付勢力をもたらす少なくとも１つの弾性部材と；を具備してなる保持インデックスデバイスに関するものである。本発明は、また、そのようなタイプの保持インデックスデバイスを備えたセットデバイスに関するものであり、さらに、そのようなセットデバイスを備えた時計に関するものである。
【背景技術】
【０００２】
セットユニットは、とりわけ、回転可能なおよび／または引き出し可能なものとされたクラウンの態様とされたものである。セットユニットにより、関連する時計内に配置された様々な可動部材のセットを行うことができる。例えば、日付表示や、世界時刻ディスクや、月ディスクや、特にダイビングウォッチに共通であって残りのダイビング時間を表示するために使用される内部ベゼル、等のセットを行うことができる。この場合、セットは、通常、時計のユーザーによって手動で行われる。その場合、ユーザーは、セットユニットを、対応位置とし、これにより、セットを可能とする。これに対し、セットを行わない時には、係合を解除することによって、セットを行うことが禁止される。ダイビングウォッチの場合や、あるいは、安全関連の見地が役割を果たしている他の用途においては、係合解除や係合を自動的に行い得るものとされた自動的にスイッチングされるセットユニットが、また、公知であり、例えば、特許文献１によって公知である。
【０００３】
可動部材は、特許文献１の場合には内部ベゼルは、可動部材上において等間隔に形成された複数の対応ノッチに対して係合するキャッチスプリングによって、セット位置に固定される。加えて、可動部材のセット時におけるインデックス機能は、セットユニットのユーザーがセットプロセスの各ステップ時に各ノッチに対してのキャッチスプリングの係合の個々のプロセスを認識する限りにおいて、キャッチスプリングとノッチとの間の協働によって得られる。
【０００４】
特許文献２においては、セット位置における可動部材の保持機能、および、セットプロセスのインデックス機能は、スプリングによって付勢されたピンによっても、あるいは、リーフスプリングによっても、行うことができる。それらピンやリーフスプリングは、対応するノッチに対して係合する。
【０００５】
セットユニットの他の例は、特許文献３に開示されている。特許文献３に開示されたデバイスは、内部ベゼルのセットを可能とする。内部ベゼルは、波形形状のリーフスプリングによって、セット位置に保持される。波形形状のリーフスプリングは、内部ベゼル上へと押圧されて、摩擦力を生成する。
【０００６】
セットユニットは、この場合にはクラウンは、また、特許文献４においても、提案されており、内部ベゼルのセットを可能とする。内部ベゼルは、内部ベゼルと時計ケーシングとの間に配置されたゴム状材料からなる構成部材によって、セット位置に保持される。すなわち、摩擦力によって保持される。
【０００７】
公知のセットユニットにおいては、セット位置における可動部材の保持は、そして必要である場合にはセットプロセスのインデックス機能は、ノッチと協働するキャッチスプリングまたはピンによって、あるいは、摩擦効果によって、もたらされている。
【先行技術文献】
【特許文献】
【０００８】
【特許文献１】欧州特許明細書第１ ５５７ ７２８号
【特許文献２】国際公開第２００２／０４４８１８号パンフレット
【特許文献３】仏国特許出願第１ ６０２ ８４９号明細書
【特許文献４】米国特許出願第２００２／０１６７８６６号明細書
【発明の概要】
【発明が解決しようとする課題】
【０００９】
このことは、いくつかの理由のために、常に望ましいわけではなく、欠点となることさえある。例えば、キャッチスプリングのスプリング力は、あるいは、摩擦力は、必要な精度でのセットを、常に可能とするわけではない。それは、例えば、製造誤差のためであり、また、キャッチスプリングの構成のためである。とりわけ、リーフスプリングのスプリング力は、バランススプリングの場合と比較して、精度の低いセットしかもたらすことができない。キャッチスプリングは、さらに、セット可能な可動部材の周縁のところにおいて、独立的で追加的な係合ポイントを形成する。このことは、空間的な要求を増大させ、さらに、可動部材のタイプに応じてあるいはキャッチスプリングと協働する他の部材のタイプに応じて、関連する時計のデザインに関して、複雑さと制約とを増大させる。また、対応するノッチは、可動部材上に設けなければならず、このことは、好ましくない。加えて、摩擦力だけの場合には、セット位置における可動部材の大まかな固定しか行うことができず、セットプロセスのインデックス機能を得ることはできない。
【課題を解決するための手段】
【００１０】
したがって、本発明の目的は、上記の様々な欠点を回避することであり、さらに、信頼性高い態様でかつ構造的にエレガントな態様でかつ融通性のきく態様でかつスペースを節約し得る態様で、可動部材をセット位置に保持し得るとともにセットプロセスのインデックス機能をもたらし得るような保持インデックスデバイスを提供することである。
【００１１】
この目的のために、本発明の主題は、請求項１の特徴部分に記載された特徴点を特徴とするものである。
【００１２】
とりわけ、本発明による保持インデックスデバイスは、軸線方向に移動可能であるようにしてシャフト上に取り付けられたインデックスリングを具備し、このインデックスリングが、インデックス歯を有し、伝達部材が、インデックスリングを向いた面上に、弾性部材のプレロード付勢力の効果のために、インデックス歯に対して係合した歯を有し、シャフトの少なくとも１つの回転方向においては、インデックスリング上への所定の大きさの力の印加によって、インデックス歯と歯との間の係合が解除されるものとされ、これにより、時計構成部材の位置のインデックス機能が行われるようになっている。
【００１３】
上記の構成により、様々な利点を得ることができる。すなわち、本発明による保持インデックスデバイスは、関連するセットデバイス内へと直接的に組み込むことができ、その際、可動構成部材の周縁部分に、追加的なスペースを要求することがない。保持インデックスデバイスは、いくつかのセットデバイスにおいて既に設けられている様々な部材を使用することができ、したがって、構成という観点から非常に興味深い解決手段を提供する。加えて、セット位置における可動構成部材の固定機能、および、セットプロセスにおけるインデックス機能という双方の機能を、実施することができる。保持インデックスデバイスは、頑丈であって、信頼性の高い機能性を特徴とするものである。保持インデックスデバイスは、様々なセットデバイス内に組み込むことができ、したがって、様々な時計内に組み込むことができる。その際、セットデバイスや時計の構成を大幅に変更する必要がない。これらの特徴点は、本発明においては、比較的容易な態様で具現することができる。
【００１４】
本発明の他の特徴点や利点は、従属請求項により、また、添付図面を参照した以下の詳細な説明により、明らかとなるであろう。
【００１５】
添付図面は、例示のために、本発明による保持インデックスデバイスの様々な実施形態を図示している。
【図面の簡単な説明】
【００１６】
【図１ａ】本発明による保持インデックスデバイスの第１実施形態を示す斜視図であって、保持インデックスデバイスは、通常位置とされている。
【図１ｂ】図１ａの保持インデックスデバイスを示す側面図である。
【図１ｃ】図１ｂにおけるＩ−Ｉ線に沿って保持インデックスデバイスを示す矢視断面図である。
【図１ｄ】図１ａの保持インデックスデバイスを示す分解斜視図であって、時計の内部に対向する部分に外側セット部材を有している。
【図１ｅ】図１ａの保持インデックスデバイスを示す分解斜視図であって、時計の内部に対向する部分に外側セット部材を有していない。
【図１ｆ】図１ａの保持インデックスデバイスを示す分解斜視図であって、時計の外面に対向する部分に外側セット部材を有していない。
【図１ｇ】本発明による保持インデックスデバイスの第１実施形態の一変形例を示す分解斜視図であって、時計の内部に対向する部分に外側セット部材を有している。
【図２ａ】例示のために時計を概略的に示す斜視図であって、時計には、本発明の第１実施形態による保持インデックスデバイスが搭載されている。
【図２ｂ】図２ａの時計を示す平面図である。
【図２ｃ】図２ｂにおけるＩＩ−ＩＩ線に沿って図２ａの時計に搭載された保持インデックスデバイスを示す矢視断面図であって、この図においては、時計の関連するセットデバイスは、休止位置で図示されている。
【図２ｄ】図２ｂにおけるＩＩ−ＩＩ線に沿って図２ａの時計に搭載された保持インデックスデバイスを示す矢視断面図であって、この図においては、時計の関連するセットデバイスは、自動的な係合解除によって、時計の内部に向かう方向へとわずかに変位されている。
【図２ｅ】透視的な図法によって拡大して示す斜視図であり、本発明の第１実施形態による保持インデックスデバイスの応用、および、時計の内部ベゼルのための関連するセットデバイスの応用、を示している。
【図３ａ】本発明による保持インデックスデバイスの第２実施形態を示す斜視図であって、保持インデックスデバイスは、通常位置に配置されている。
【図３ｂ】図３ａの保持インデックスデバイスを示す側面図である。
【図３ｃ】図３ｂにおけるＩＩＩ−ＩＩＩ線に沿って保持インデックスデバイスを示す矢視断面図である。
【図４ａ】例示のために時計ケーシングの細部を概略的に示す斜視図であって、この時計ケーシングに、本発明の第２実施形態による保持インデックスデバイスが搭載されている。
【図４ｂ】図４ａの時計ケーシングの一部を示す平面図である。
【図４ｃ】図４ｂにおけるＩＶ−ＩＶ線に沿って図４ａの時計ケーシング内に搭載された保持インデックスデバイスを示す矢視断面図であって、保持インデックスデバイスは、通常位置で配置されている。
【図４ｄ】時計を示す平面図であって、この時計に、本発明の第２実施形態による保持インデックスデバイスが搭載されている。
【図４ｅ】図４ｄにおけるＶ−Ｖ線に沿って時計に搭載された保持インデックスデバイスを示す矢視断面図であって、保持インデックスデバイスは、通常位置で配置されている。
【発明を実施するための形態】
【００１７】
以下においては、添付図面を参照して、本発明について詳細に説明する。
【００１８】
本発明による保持インデックスデバイスは、特に腕時計といったような時計のセットデバイスに搭載され得るものとして構成されている。図１ａ〜図１ｆから理解されるように、このタイプの保持インデックスデバイスは、ブッシング１を備えている。ブッシング１は、搭載対象をなす時計のケーシングの開口内に固定的に取り付けられる。シャフト３が、軸線方向に変位可能であるようにしてなおかつ回転可能であるようにして、ブッシング１内に取り付けられている。ブッシング１内において、シャフト３は、時計の内方を向いた端部の側に、より小径とされたシャフトロッド３．１を有しているとともに、時計の外側を向いた端部の側に、より大径とされたシャフトヘッドを有している。これにより、シャフトは、シャフトロッドとシャフトヘッドとの間の移行領域のところに、シャフトショルダー３．２を有している。保持インデックスデバイスは、さらに、伝達部材７，８を備えている。伝達部材７，８は、時計の内方を向いたシャフトロッド３．１の側に取り付けられているとともに、時計の内部に配置された時計部材（図１ａ〜図１ｆには図示されていない）の駆動を可能としている。保持インデックスデバイスは、さらに、少なくとも１つの弾性部材４を備えている。弾性部材４は、シャフト３の軸線方向に作用するプレロード付勢力をもたらす。図１ｃにより、時計の内方を向いた側において、ブッシング１の内面が、ブッシングショルダーを有していることは、理解されるであろう。必須ではないけれども、好ましくは、ブッシングショルダーに対して、パッキングリング５が当接する。弾性部材４は、図１ａ〜図１ｆの実施形態においては、バランススプリングとして形成されている。このバランススプリングは、シャフトロッド３．１を囲んでいるとともに、このバランススプリングの一端は、シャフトショルダー３．２に対して当接しており、このバランススプリングの他端は、ブッシング１のブッシングショルダーに対して当接している。これにより、バランススプリングのプレロード付勢力は、時計ケーシングに対して固定的に取り付けられたブッシングショルダーに対して当接していることのために、シャフト３に対して軸線方向において時計の外向きに作用する。
【００１９】
保持インデックスデバイスは、軸線方向にスライド可能な態様でシャフト３上に取り付けられたインデックスリング６を備えていることを特徴としている。インデックスリング６は、インデックス歯６．１を有している。インデックスリング６は、さらに、チューブ状部分６．２を有している。チューブ状部分６．２は、シャフトロッド３．１を囲みつつ、ブッシング１内においてスライド可能に設けられている。この場合、チューブ状部分６．２のうちの、時計の外面を向いた端部は、保持インデックスデバイスの通常位置においては、ブッシングショルダーと面一となるようにして終端している。この様子は、図１ａ〜図１ｃに示されている。したがって、その端部は、上記のパッキングリング５に対して当接する。パッキングリング５は、バランススプリング４によって押圧されていて、ブッシング１のブッシングショルダーに対して当接している。しかしながら、この実施形態においては、バランススプリング４のプレロード付勢力を超える力がこの目的のために印加された場合には、インデックスリング６のスライド移動がしたがってパッキングリング５のスライド移動が、時計の外向きにおいて、可能とされている。ここで、ブッシング１が、時計の内方向きの端部のところに、歯付きの端面を有していることに言及しておく。端面の歯１．１の高さ、あるいは、その歯付き端面における歯１．１どうしの間に位置したノッチ１．２の深さは、インデックスリング６の厚さと比較して、また、関連するインデックス歯６．１の厚さと比較して、より大きなものとされている。したがって、インデックスリング６は、シャフト３に対して軸線方向にスライド移動可能に取り付けられているとともに、ブッシング１の歯付き端面に対してのインデックス歯６．１の係合のために回転禁止とされている。軸線方向移動のストローク６．３は、端面の歯１．１の高さとインデックスリング６の厚さとの間の相違量に対応する。
【００２０】
同時に、伝達部材７，８は、インデックスリング６を向いた面上に、歯７．１を有している。歯７．１は、弾性部材のプレロード付勢力の効果のために、つまり図１ａ〜図１ｆの実施形態においてはバランススプリング４の効果のために、インデックス歯６．１に対して係合している。したがって、上述したように、インデックスリング６がそのチューブ状部材６．２のところにおいて付勢されている限りにおいて、インデックスリング６は、時計の内方に向けて、すなわち伝達部材７，８の歯７．１，８．１に向けて、バランススプリング４によってパッキングリング５に対して当接するように付勢される。伝達部材７の歯７．１の径方向位置は、ブッシング１を超えて径方向に突出しているインデックス歯６．１の位置に応じて、双方の歯６．１，７．１の係合が可能となるように、選択される。インデックスリング６のインデックス歯６．１と、伝達部材７，８の歯７．１とは、さらに、インデックスリング６に対しての所定の大きさの力の印加の結果として、シャフト３の少なくとも一方の回転方向においてインデックス歯６．１と歯７．１との間の係合解除が起こり得るようにして、形成されている。これにより、時計の構成部材２２の位置のインデックス機能が可能とされる。時計の内方を向いた端部にまで相応して選択されたチューブ部分６．２の長さのために、インデックス歯６．１は、チューブ状部分６．２を径方向に囲むようにして取り付けられている。また、バランススプリング４のプレロード付勢力のために、インデックスリング６のうちの、時計の内方を向いた端部は、特に、インデックス歯６．１は、保持インデックスデバイスの通常位置においては、ブッシング１の歯付き端面を径方向にわずかに超えて突出し、これにより、伝達部材７，８の歯７．１に対して係合する。ここで、好ましくは、インデックス歯６．１も、また、ブッシング１を径方向に超えて突出する。これに対し、保持インデックスデバイスの係合解除位置においては、インデックスリング６のうちの、時計の内方を向いた端部は、すなわちインデックス歯６．１は、ブッシング１の歯付き端面に対して面一となって終端する。保持インデックスデバイスの通常位置は、図１ｂおよび図１ｃに図示されている。
【００２１】
一般に、インデックスリング６のインデックス歯６．１が、好ましくは、著しく矩形の歯を有していること、これに対し、伝達部材７，８のうちの、インデックスリング６を向いた側において、インデックス歯６．１に対して係合した歯７．１，８．１が、一方の回転方向において回転禁止とされた第１ブレゲー（Breguet ）歯７．１を有していること、あるいは、同様に形成された鋸歯を有していること、あるいは、双方向回転を可能とする三角歯８．１を有していることに注意されたい。
【００２２】
図１ａ〜図１ｆに示すような本発明による保持インデックスデバイスの第１実施形態においては、伝達部材７，８のうちの、インデックスリング６を向いた端面上においてインデックス歯６．１の矩形歯に対して係合した歯７．１は、回転の一方向において回転禁止とされた第１ブレゲー歯７．１を有している。
【００２３】
この実施形態においては、伝達部材７，８は、図１ｃおよび図１ｄに示すように、シャフト３に対して固定的に取り付けられたキャリアピニオン８と、シャフト３まわりに回転可能に取り付けられたキャリアディスク７と、を備えているようにして、形成されている。キャリアピニオン８は、シャフトロッド３．１のうちの、時計の内方を向いた端部に対して固定することができる。特に、円錐形ネジ９を使用して固定することができる。連結部材は、キャリアディスク７のうちの、キャリアピニオン８を向いた面上に配置された第２ブレゲー歯７．２という態様のものとされ、および、キャリアピニオン８上の、第２ブレゲー歯７．２に対して係合したキャリア歯８．２という態様のものとされている。このような連結部材が、キャリアピニオン８とキャリアディスク７との間に設けられている。よって、伝達部材７，８のうちの、インデックスリングを向いた面上において、インデックス歯６．１に対して係合した歯７．１，８．１は、この場合には、第１ブレゲー歯７．１を有している。この第１ブレゲー歯７．１は、回転の一方向において回転禁止とされており、キャリアディスク７のうちの、インデックスリング６を向いた面上に配置されている。
【００２４】
第１ブレゲー歯７．１および第２ブレゲー歯７．２は、この例では、キャリアディスク７上に配置されている。キャリアディスク７の第２ブレゲー歯７．２とキャリアピニオン８のキャリア歯８．２とが、回転方向においてそれらの駆動時に噛合した際には、キャリアディスク７の第１ブレゲー歯７．１が係合解除する。すなわち、第１ブレゲー歯７．１の鋸歯が、インデックスリングのインデックス歯６．１上をスライドする。それは、キャリアピニオン８によってキャリアディスク７を介してインデックスリング６上へともたらされたトルクが、バランススプリング４のプレロード付勢力に抗してバランススプリング４を押し込んで、時計の外向き方向へとストローク６．３の分だけインデックスリング６を変位させる力を誘起するからである。これにより、時計の可動部材２２のセットプロセス時に、インデックス機能を行うことができる。
【００２５】
これとは逆に、キャリアピニオン８が逆向きに回転駆動されたときには、キャリアピニオン８のキャリア歯８．２が、キャリアディスク７の第２ブレゲー歯７．２上をスライドする。それは、軸線方向においてバランススプリング４のプレロード付勢力に抗してトルクによって生成された力のために、そして、時計の内方に向けたバランススプリング４の圧縮のために、シャフト３が変位するからである。インデックスリング６のインデックス歯６．１は、キャリアディスク７の第１ブレゲー歯７．１に係止され、これにより、キャリアディスク７は、回転のこの方向において回転禁止とされる。これにより、時計の可動部材２２は、キャリアディスク７のこの回転方向に関して回転禁止とされる。
【００２６】
本発明による保持インデックスデバイスの第１実施形態においては、図１ａ〜図１ｆを参照することにより、シャフト３の軸線方向に作用するプレロード付勢力をもたらす上述したような少なくとも１つの弾性部材４，１０が、この例においては、シャフト３とインデックスリング６との間に配置されたバランススプリング４として形成されていることに言及しておく。図１ｇにおいては、保持インデックスデバイスの第１実施形態の一変形例が示されており、シャフト３と伝達部材７，８の少なくとも一部との間に配置された環状の膨張可能なリーフスプリング１０を、バランススプリング４とは個別の追加的な弾性部材として設けることができる。これにより、キャリアディスク７を、インデックスリング６に向けて効果的に付勢することができる。特に、膨張可能なリーフスプリング１０は、シャフト３に対して固定的に取り付けられたキャリアピニオン８と、伝達部材７，８のキャリアディスク７と、の間に配置することができる。（図示していない）他の実施形態においては、第１実施形態において使用されたバランススプリング４を、適切に配置されたこのタイプの膨張可能なリーフスプリング１０によって完全に代替することも、想定することができる。本発明による保持インデックスデバイスの第１実施形態は、好ましくは、双方の弾性部材４，１０を備えている。いずれにしても、弾性部材４，１０によるプレロード付勢力により、インデックスリング６と伝達部材７，８とは、互いに近接する向きに付勢される。
【００２７】
図２ａは、例示の目的のために、斜視図によって時計を概略的に示している。この時計には、本発明の第１実施形態による上述したような保持インデックスデバイスが搭載されている。図２ｂは、図２ａの時計を示す平面図である。図２ｃおよび図２ｄは、図２ｂにおけるＩＩ−ＩＩ線に沿って図２ａの時計内に搭載された保持インデックスデバイスを示す矢視断面図であって、図２ｃにおいては、時計の関連するセットデバイスが、休止位置に配置されており、図２ｄにおいては、時計の関連するセットデバイスが、自動的な係合解除のために、時計の内方に向けてわずかに変位されている。この場合、セットデバイスは、本発明を例示するための一例に過ぎない。セットデバイスを使用することにより、例えばダイビングウォッチの場合に望ましいように、時計のケーシングの外面上に配置された外部ベゼル２１を介して、内部ベゼル２２をセットすることができる。外部ベゼル２１および内部ベゼル２２は、セットデバイスを介して機械的に相互連結されている。
【００２８】
特に、セットデバイスは、図２ｃおよび図２ｄから明らかなように、保持インデックスデバイスのシャフト３に対して固定的に取り付けられた外側セット部材２を備えている。外側セット部材２は、時計の部材２２をセットすることができる。さらに、図示の例においては、外側セット部材２は、駆動歯２．１を有したセットキャップ２．２として形成されている。駆動歯２．１は、時計の外部ベゼル２１の歯付きリム２１．１に対して係合する。時計のユーザーが、外部ベゼル２１を介してセット部材２を駆動した場合、外側セット部材２は、好ましくはフード２６によって、機械的影響から保護される。フード２６には、ダイビングウォッチという図示の例示の用途においては、後に明らかとなる理由のために、複数の穴２６．１が設けられている。時計は、さらに、従来の時計と同様に、ケーシングリング２３を備えている。このケーシングリング２３の中に、ブッシング１や、本発明による保持インデックスデバイスの他の様々な構成部材が設けられている。時計は、さらに、ケーシング裏面２４と、時計ガラス２５と、を備えている。時計ガラス２５は、内部ベゼル２２の上方に位置しているとともに、時計の内部を封入している。
【００２９】
加えて、好ましくはバランススプリング４といったような少なくとも１つの弾性部材４，１０のプレロード付勢力は、セット部材２の実効端面によって決定される。これにより、特許文献１に記載されているような、印加された外部圧力によるセットデバイスの自動的な軸線方向位置の切換が可能とされる。特許文献１の記載内容は、参考のためここに組み込まれる。少なくとも１つのリングシール部材１．３，１．４が、ブッシング１と外側セット部材２との間に配置されている。少なくとも１つのリングシール部材１．３，１．４は、関連するチャンファー２．３と協働し、印加された外部圧力によるセットデバイスの自動的な軸線方向位置の切換によって、リングシール部材１．３，１．４の一方が圧縮され、これにより、自動的に気密性が増大する。リングシール部材１．３，１．４は、好ましくは、ブッシング１の外面上に配置され、関連するチャンファー２．３は、好ましくは、セット部材２の内面上に配置される。印加された外部圧力によるセットデバイスの自動的な軸線方向位置の切換が、および、セットデバイスのまたは関連する時計の気密性の同時的な増減は、セット部材２の実効端面による少なくとも１つの弾性部材４，１０のプレロード付勢力の決定によって得られる。
【００３０】
保持インデックスデバイスの機能的な原理は、図２ｃにより容易にかつ明瞭に理解されるであろう。図２ｃは、図２ｂにおけるＩＩ−ＩＩ線に沿って時計内に搭載された保持インデックスデバイスを示す矢視断面図である。時計の関連するセットデバイスは、図２ｃにおいては、休止状態で図示されている。すなわち、伝達部材７，８内の連結部材は、係合状態とされている。よって、時計のユーザーが時計まわりに外部ベゼル２１を回転させた際には、外側セット部材２と、シャフト３と、キャリアピニオン８とが、時計の外部から見て、反時計回りに回転駆動される。例えば図１ｄから明らかなように、これにより、キャリアディスク７の第２ブレゲー歯７．２と、キャリアピニオン８のキャリア歯８．２と、の間の係合が起こる。これにより、内部ベゼル２２の歯付きリムに対して係合したキャリア駆動歯７．３が、内部ベゼル２２を、時計まわりに駆動する。同時に、この回転方向におけるキャリアピニオン８の回転駆動時には、キャリアディスク７の第１ブレゲー歯７．１が、インデックスリング６のインデックス歯６．１から係合解除する。つまり、インデックスリング６の鋸歯が、インデックスリング６のインデックス歯６．１上をスライドする。これは、キャリアピニオン８によって生成されてキャリアディスク７を介してインデックスリング６上へと伝達されたトルクが、バランススプリング４のプレロード付勢力に抗してバランススプリング４を圧縮させてインデックスリング６を時計の外向き方向にストローク６．３の分だけ変位させる力を引き起こすからである。これにより、時計の可動部材２２のセットプロセス時に、インデックス機能が可能とされる。内部ベゼル２２はセット位置に配置されているけれども、すなわち、外部ベゼル２１が駆動されない限りにおいては、これは、追加的に、内部ベゼルのセット位置における保持固定、および、一般的には、時計の可動部材２２のセット位置における保持固定、を可能とする。
【００３１】
これとは逆に、外部ベゼル２１が時計のユーザーによって反時計回りに回転駆動されたときには、外側セット部材２と、シャフト３と、キャリアピニオン８とは、時計の外部から見て、時計回りに回転駆動される。図１ｄから明らかなように、これにより、この回転方向におけるキャリアピニオン８の回転駆動時には、キャリアディスク７の第２ブレゲー歯７．２上におけるキャリアピニオン８のキャリア歯８．２のスライドが起こる。それは、この場合、シャフト３が、トルクによって生成された力のために、時計の内方に向けてバランススプリング４が圧縮されて、バランススプリング４のプレロード付勢力に抗して軸線方向に変位するからである。同時に、インデックスリング６のインデックス歯６．１は、キャリアディスク７の第１ブレゲー歯７．１に対して係合し、これにより、キャリアディスク７が、したがって内部ベゼル２２が、この回転方向において回転禁止とされる。これにより、一般に、時計の可動部材２２が、外部ベゼル２１のこの回転方向に対応した回転方向において回転禁止に固定され、この図示の例においては内部ベゼル２２の固定に対応して、外側セット部材２あるいはキャリアピニオン８が、反時計回りの回転に関して回転禁止に固定される。
【００３２】
図２ｄは、時計内に搭載された保持インデックスデバイスを示す対応した矢視断面図であって、シャフト３が、したがってキャリアピニオン８が、自動的な軸線方向位置の切換のために、時計の内方に向けて変位した後における関連するセットデバイスを示している。自動的な切換は、印加された外部圧力の影響によって、引き起こすことができる。そのような外部圧力は、フード２６内の穴２６．１を通して外側セット部材２に対して作用することができ、特許文献１の場合と同様に作用することができる。軸線方向位置の切換の結果として、時計の関連するセットデバイスは、図２ｄに示すような切換位置に配置される。すなわち、伝達部材７，８の連結部材が、係合解除位置に配置される。キャリアピニオン８のキャリア歯８．２、および、キャリアディスク７の第２ブレゲー歯７．２は、この切換位置においては、互いに当接しておらず、外部ベゼル２１の回転または外側セット部材２の回転は、回転方向にかかわらず、内部ベゼル２２のいかなる変位をも引き起こすことがない。内部ベゼル２２は、より一般的にはセットデバイスによってセット可能な時計の可動部材２２は、この場合、上述したようにして、保持インデックスデバイスによってプリセット位置に保持固定される。
【００３３】
図２ｅは、本発明による保持インデックスデバイスの第１実施形態の上記応用を示しており、外部ベゼル２１によって駆動される外側セット部材２を介しての時計の内部ベゼル２２のセットのための関連セットデバイスの上記応用を示している。ここで、セットデバイス２は、駆動歯２．１付きのセットキャップ２．１として形成されている。図２ｅは、部分的に透視図とされている。ここで、外側セット部材２の駆動歯２．１は、時計の外部ベゼル２１の歯付きリム２１．１に対して係合している。外部ベゼル２１は、時計のユーザーによって手動で角度駆動することができる。この場合には、キャリアディスク７が、保持インデックスデバイス内へと、図１ａ〜図１ｇおよび図２ａ〜図２ｄと比較して、逆向きで挿入されていることに注意されたい。よって、内部ベゼル２２のセットを引き起こす外部ベゼル２１の回転方向、および、内部ベゼル２２が保持インデックスデバイスによってセット禁止に固定される方向は、容易な態様で交換することができる。
【００３４】
図３ａは、本発明による保持インデックスデバイスの第２実施形態を示す斜視図であって、保持インデックスデバイスは、通常位置に配置されている。図３ｂは、図３ａの保持インデックスデバイスを示す側面図であり、図３ｃは、図３ｂにおけるＩＩＩ−ＩＩＩ線に沿って保持インデックスデバイスを示す矢視断面図である。この第２実施形態による保持インデックスデバイスは、第１実施形態と大部分が類似的に構成されている。以下においては、相違点についてのみ、詳細に説明することとし、同一の構成部材については、再度の説明を省略する。第２実施形態による保持インデックスデバイスの場合には、伝達部材７，８としては、シャフト３に対して固定的に取り付けられたキャリアピニオン８だけが設けられており、キャリアディスク７は、設けられていない。言い換えれば、伝達部材７，８は、連結部材を備えていない。したがって、保持インデックスデバイスのシャフト３は、軸線方向に変位可能ではない。そのため、この実施形態においては、バランススプリング４は、インデックスリング６の軸線方向移動を制御するためだけに使用されており、時計の内方に向けてインデックスリング６およびキャリアピニオン８に対してプレロード付勢力を印加している。
【００３５】
さらに、伝達部材７，８のうちの、インデックスリング６を向いた端面上において、インデックス歯６．１に対して係合した歯７．１，８．１は、この実施形態においては、キャリアピニオン８のうちの、インデックスリング６を向いた端面上に配置された三角歯８．１を有している。三角歯８．１は、例えば図１ａおよび図１ｂに示すように、双方向の回転を可能とする。この場合、インデックスリング６のインデックス歯６．１をなす三角歯は、同様に、対応する側方チャンファーを有している。
【００３６】
この第２実施形態による保持インデックスデバイスは、第１実施形態の場合と同様に機能する。しかしながら、この第２実施形態の場合には、セット位置における可動部材２２の保持、および、セットプロセス時におけるインデックス機能だけが考慮されて実施され、外側セット部材２やシャフト３の所定回転方向における回転時に、可動部材２２を変位禁止に固定することは考慮する必要がない。これに対し、このデバイスにおいては、関連する外側セット部材（あるいは、クラウン）２およびシャフト３の双方向の回転によって、可動部材２２をセットすることができる。
【００３７】
当然のことながら、代替可能な実施形態（図示せず）においては、インデックス歯６．１を、第１実施形態による保持インデックスデバイスの場合と同様に、歯７．１，８．１に対して係合するものとして形成することも可能である。したがって、同様に、可動部材２２を、関連する外側セット部材２およびシャフト３の所定回転方向における回転時に、セット禁止に固定することができる。
【００３８】
これとは逆に、第１実施形態による保持インデックスデバイスにおいて、インデックス歯６．１、および、インデックス歯６．１に対して係合する歯７．１，８．１を、第２実施形態による保持インデックスデバイスの場合と同様に形成することができる。これにより、自動的な軸線方向位置の切換を行う関連するセットデバイスを、双方向の回転によって駆動することができる。
【００３９】
図４ａは、例示の目的のために、時計ケーシングの細部を、斜視図によって概略的に示している。この時計ケーシングの内部には、本発明の第２実施形態による保持インデックスデバイス、および、関連するセットデバイスが、搭載されている。図４ｂは、図４ａの時計ケーシングの一部を示す平面図である。図４ｃは、図４ｂにおけるＩＶ−ＩＶ線に沿って図４ａの時計ケーシング内に搭載された保持インデックスデバイスを示す矢視断面図である。図４ｂおよび図４ｃにおいては、保持インデックスデバイスは、通常位置に配置されている。図４ａ〜図４ｃから理解されるように、第２実施形態による保持インデックスデバイスは、第１実施形態による保持インデックスデバイスと同様に、キャリアピニオン８と伝達ホイール２７との間の係合の結果として、時計の内部におけるほとんどすべての任意の適切な構成部材２２を制御してセットすることができる。伝達ホイール２７は、構成部材２２に対して機械的に連結されている。伝達ホイール２７は、付加的には、保持用のスター形状部材２８を有することができる。スター形状部材２８は、キャッチスプリング２９に対して係合する。この場合、保持インデックスデバイスの弾性部材のプレロード付勢力は、より小さなものとすることができる。これにより、保持インデックスデバイスは、一次的には、インデックス機能のために使用される。
【００４０】
図４ｄは、時計を示す平面図である。この時計の内部には、上述したような本発明の第２実施形態による保持インデックスデバイスが搭載されている。図４ｅは、図４ｄにおけるＶ−Ｖ線に沿ってこの時計の一部を示す矢視断面図である。図４ｅにおいては、保持インデックスデバイスは、通常位置で配置されている。図示されたセットデバイスは、本発明による保持インデックスデバイスを備えたものであって、保持インデックスデバイスのシャフト３に対して固定的に取り付けられた外側セット部材２を備えている。外側セット部材２は、時計の内部において時計の構成部材２２（詳細には図示されていない）のセットを行うことができる。この場合、上述した理由のために、上述したようにして、シャフト３の軸線方向変位は、禁止されている。外側セット部材２は、図２ａ〜図２ｄに図示したセットデバイスと同様に、外部ベゼル２１によって駆動される。
【００４１】
外部ベゼル２１による外側セット部材２の駆動は、有利なものではあるけれども、一般的には、本発明による保持インデックスデバイスを有したセットデバイスの外側セット部材２は、時計のユーザーによって手動で駆動可能とされたセットクラウンとして形成することもできる。
【００４２】
本発明は、また、本発明による保持インデックスデバイスを有したセットデバイスを備えた時計に関するものであり、この時計は、時計の構成部材２２をセットし得るように機能するような、外部ベゼル２１または外部クラウンを備えることができる。
【００４３】
なお、上記の説明を読んだ当業者には、時計のうちの、保持インデックスデバイスによってセットされるとともに保持インデックスデバイスによってその位置が保持固定されさらに位置セットがインデックスされる可動部材２２が、伝達部材７，８に対して機械的に連結されること、および、そのような可動部材２２を、時計の多様な構成部材とし得ることが自明であろう。特に、可動部材２２は、内部ベゼルと、日付ディスクと、世界時刻ディスクと、月ディスクと、アラーム時計ディスクと、タキメータ（tachymeter）ディスクと、様々な目的で使用し得るインデックスポインタディスクと、からなるグループの中から選択することができる。よって、本発明は、例示された例に限定されるものではない。
【００４４】
このタイプの保持インデックスデバイス、および、関連するセットデバイスは、特に、ダイビングウォッチの場合に有効である。なぜなら、内部ベゼル２２の不用意な調整が、とりわけ実際に適正なダイビング時間よりも長いダイビング時間を表示するような向きへの内部ベゼル２２の不用意な調整が、ダイバーの安全のために回避されなければならないからである。これは、本発明による保持インデックスデバイスの場合には、回避することができる。
【００４５】
本発明による保持インデックスデバイスは、様々な利点を有するものであり、例えば関連するセットデバイス内へと直接的に搭載することができる。搭載に際しては、可動部材の周辺において追加的な空間を設ける必要がない。特に、保持インデックスデバイスは、いくつかのセットデバイス内において常に設けられる部材を利用することさえできる。したがって、構成という観点から、非常に興味深い解決手段を提供する。加えて、提案された解決手段の結果として、可動部材のセット位置における保持固定と、セットプロセス時におけるインデックス機能と、の双方を、提案された解決手段によって実施することができる。本発明による保持インデックスデバイスは、頑丈なものであって、信頼性の高い機能性を特徴とする。本発明による保持インデックスデバイスは、意義深い修正を必要とすることなく、多数のセットデバイスと一体化することができ、したがって、様々な時計と一体化することができる。加えて、このことは、本発明の場合には、比較的容易な態様で実施される。
【符号の説明】
【００４６】
１      ブッシング
１．１  歯
１．３  リングシール部材
１．４  リングシール部材
２      外側セット部材
２．１  駆動歯
２．２  セットキャップ
２．３  チャンファー
３      シャフト
４      弾性部材、バランススプリング
６      インデックスリング
６．１  インデックス歯
７      伝達部材、キャリアディスク
７．１  歯、第１ブレゲー歯
７．２  第２ブレゲー歯
８      伝達部材、キャリアピニオン
８．１  歯、三角波
８．２  キャリア歯
１０      弾性部材、環状の膨張可能なリーフスプリング
２１      外部ベゼル
２１．１  歯付きリム
２２      時計構成部材
【図１ａ】
2015087395.tif 000003
【図１ｂ】
2015087395.tif 000004
【図１ｃ】
2015087395.tif 000005
【図１ｄ】
2015087395.tif 000006
【図１ｅ】
2015087395.tif 000007
【図１ｆ】
2015087395.tif 000008
【図１ｇ】
2015087395.tif 000009
【図２ａ】
2015087395.tif 000010
【図２ｂ】
2015087395.tif 000011
【図２ｃ】
2015087395.tif 000012
【図２ｄ】
2015087395.tif 000013
【図２ｅ】
2015087395.tif 000014
【図３ａ】
2015087395.tif 000015
【図３ｂ】
2015087395.tif 000016
【図３ｃ】
2015087395.tif 000017
【図４ａ】
2015087395.tif 000018
【図４ｂ】
2015087395.tif 000019
【図４ｃ】
2015087395.tif 000020
【図４ｄ】
2015087395.tif 000021
【図４ｅ】
2015087395.tif 000022
【外国語明細書】
2015087395000001.pdf